(57)【要約】【課題】  擬似電池を機器の電池室に容易且つ安全に着脱することができる電子機器を提供すること。【解決手段】  カメラ１の電池室１１に擬似電池２１を挿入し、ケーブル２２を介して外部電源と接続することにより、カメラ１に外部電源から電力が供給される。カメラ１には、電池室１１に擬似電池２１が装填されている状態でケーブル２２を取り出すための開口Ａと、その開口Ａを開閉する閉鎖部材１２とが設けられている。電池室１１に擬似電池２１を装填するのに連動して、擬似電池２１に設けられた突起２３により閉鎖部材１２が開口Ａを開放する。【選択図】  図１
2005173203.tif 000002
【特許請求の範囲】
【請求項１】
電池室に装填した擬似電池に配設されたケーブルを介して外部電源と接続され、外部電源から電力を供給される電子機器において、
前記電池室に前記擬似電池が装填されている状態で前記ケーブルを取り出すための開口と、その開口を開閉する閉鎖部材とが設けられ、
前記電池室に前記擬似電池を装填するのに連動して、前記擬似電池に設けられた連動部材と前記閉鎖部材とを係合させつつ、その閉鎖部材を開放駆動することを特徴とする電子機器。
【請求項２】
請求項１に記載の電子機器において、
前記閉鎖部材は、前記装填方向と反対方向に付勢されることを特徴とする電子機器。
【請求項３】
請求項１または２に記載の電子機器において、
前記電池室に前記擬似電池を装填する途中、前記ケーブルが前記閉鎖部材と接触しないように、前記連動部材により前記閉鎖部材を開放駆動することを特徴とする電子機器。
【請求項４】
請求項１〜３のいずれかに記載の電子機器に用いられる、前記擬似電池と前記ケーブルと前記連動部材とを備える外部電源アダプタ。
【発明の詳細な説明】
【技術分野】
【０００１】
本発明は、外部電源に接続され、外部から電力を供給されるデジタルカメラ、ポータブル電子機器などに関する。
【背景技術】
【０００２】
デジタルカメラ、ポータブル電子機器などでは、駆動用電源として電池と外部電源の両者を使用できるものが多い。外部電源から電力を機器に供給する方法の１つに擬似電池を用いる方法がある。擬似電池は、通常の電池と略同一形状であり、電力供給用のケーブルと電源端子とを具備している。擬似電池を機器の電池室に装填すると、電源端子と電池室の電池接点とが接触し、電力供給が行われる。従来、電子スチールカメラのバッテリ収納部にケーブルを取り出すための切欠きを設け、この切欠きを開閉するためのスライドカバーを設けた技術が知られている（例えば、特許文献１参照）。
【０００３】
【特許文献１】特開平２−８２７６１号公報（第３頁、第３図）
【発明の開示】
【発明が解決しようとする課題】
【０００４】
上記特許文献１の技術では、パワーカプラ（擬似電池に相当）をバッテリ収納部に挿入する前に切欠きを開放するためにスライドカバーを上方にスライドし、また、パワーカプラを取り外した後にスライドカバーを下方にスライドさせ、切欠きを閉鎖する必要がある。このように、パワーカプラの着脱の度にスライドカバーの開閉作業が付加されるという問題がある。
【課題を解決するための手段】
【０００５】
（１）請求項１の電子機器は、電池室に装填した擬似電池に配設されたケーブルを介して外部電源と接続され、外部電源から電力を供給される電子機器であって、電池室に擬似電池が装填されている状態でケーブルを取り出すための開口と、その開口を開閉する閉鎖部材とが設けられ、電池室に擬似電池を装填するのに連動して、擬似電池に設けられた連動部材と閉鎖部材とを係合させつつ、その閉鎖部材を開放駆動することを特徴とする。
（２）上記の電子機器では、開閉部材は、装填方向と反対方向に付勢されることが好ましい。また、電池室に擬似電池を装填する途中、ケーブルが閉鎖部材と接触しないように、連動部材により閉鎖部材を開放駆動することが好ましい。
（３）請求項４の外部電源アダプタは、請求項１〜３のいずれかの電子機器に用いられ、擬似電池とケーブルと連動部材とを備えている。
【発明の効果】
【０００６】
本発明によれば、擬似電池を電子機器の電池室に装填するのに連動してケーブルを取り出す開口を開放するので、擬似電池を電子機器の電池室に着脱する作業を容易且つ安全に行うことができる。
【発明を実施するための最良の形態】
【０００７】
以下、本発明の実施の形態によるカメラについて、図１〜６を参照しながら説明する。
図１は、本発明の実施の形態によるカメラの概略正面図である。カメラ１は、撮影レンズを内蔵する鏡筒２、シャッタを動作させるレリーズ釦３および電池室１１を備えている。電池室１１には、レンズ駆動や撮影光発光などのための電源である電池が収納される。また、電池室１１には、電池の電極端子に接し、電池から電力を受容する電池接点１５が配設されている。電池接点１５は、電池の装填方向に力を受けたときに弾性変形するものである。電池を電池室１１に装填するときは、電池蓋１１ａを開いて、電池の電極端子が電池接点１５を押圧するまで電池を電池室１１内に挿入し、電池蓋１１ａを閉めるという簡単な作業を行う。また、電池を電池室１１から抜き取るときは、上記と逆の作業をすればよい。
【０００８】
本実施の形態のカメラ１は、電源として電池と外部電源を併用するタイプである。外部電源としては、一般に、家庭用のＡＣ電源が利用される。外部電源を用いる場合は、通常の電池と同様に、電極端子２５が電池接点１５を押圧するまで擬似電池２１を電池室１１内に挿入する。これにより、不図示の外部電源に接続されるケーブル２２を介して外部電源から電力をカメラ１に供給することができる。
【０００９】
図２を参照して、外部電源アダプタ２０の構成を説明する。外部電源アダプタ２０は、擬似電池２１、ケーブル２２および突起２３を備えている。擬似電池２１は、通常の電池と略同一形状を呈し、先端面の略同一位置に電極端子２５が設けられている。擬似電池２１は、電力の供給を受けるカメラ１の電池室１１（図1参照）に矢印ｘで示す装填方向に挿入される。ケーブル２２および突起２３は、擬似電池２１の側面に並設されている。装填方向ｘにおいて、突起２３は、ケーブル２２よりも擬似電池２１の先端側に配設され、ケーブル２２は、擬似電池２１の後端側に配設されている。なお、ケーブル２２および突起２３は、擬似電池２１の同一側面に配設されていなくてもよい。
【００１０】
図1に示されるように、擬似電池２１は、カメラ１の下方から電池室１１に挿入される。カメラ１の外枠側面には、電池室１１に隣接して、ケーブル２２をカメラ１の外に取り出すための開口Ａが形成されている。開口Ａは、位置ａ１からａ２までの長さｓの寸法であり、閉鎖部材１２により開閉される。閉鎖部材１２には、電池室１１側に突き出した突起部１３が一体に設けられている。また、閉鎖部材１２は、電池室１１の側面に設けられたバネ１４により、装填方向ｘと反対方向に付勢されている。
【００１１】
位置ａ３からａ４までの長さｔは、電池室１１の側面に沿って閉鎖部材１２が移動できるストローク長であり、長さｓよりも少し長く設定されている。電池室１１の側面において、位置ａ１からａ４までの長さに突起１３の大きさをプラスした範囲には、切欠きが形成されている。
【００１２】
以下、擬似電池２１をカメラ１に装填し、取り外す動作について説明する。通常の電池を用いている状態或いは電池室１１に何も入っていない状態では、閉鎖部材１２は、バネ１４の付勢力によって開口Ａを完全に閉鎖している。また、擬似電池２１が装填途中にある状態（図１参照）でも、閉鎖部材１２は、開口Ａを完全に閉鎖している。
【００１３】
図１の状態から擬似電池２１が電池室１１内に装填されていく過程では、先ず突起２３が突起部１３に当接する。擬似電池２１が装填方向に挿入されるにつれて、突起２３は、バネ１４の付勢力に抗して突起部１３を装填方向ｘに移動させ、閉鎖部材１２が開口Ａを徐々に開放する。さらに、擬似電池２１が装填方向ｘに挿入されると、図３および図４に示されるように、擬似電池２１の電極端子２５が電池接点１５に接触し、開口Ａがほぼ完全に開放され、ケーブル２２が開口Ａに至る。擬似電池２１は未だ装填を完了していない。図１の状態と図３の状態とを比べると、閉鎖部材１２は、長さｓだけ移動したことになる。
【００１４】
図５は、図３および図４の状態の閉鎖部材１２の拡大斜視図であり、閉鎖部材１２が開口Ａを開放した状態を模式的に示す。閉鎖部材１２は、バネ１４により力Ｐで下方に付勢されている。付勢力Ｐに抗して突起部１３を装填方向ｘに押動することにより、開口Ａが開放される。
【００１５】
図６は、図３および４の状態から、さらに擬似電池２１が装填方向ｘに挿入され、装填を完了した状態を示す。この状態は、ケーブル２２が開口Ａのほぼ中央位置からカメラ１の外部に取り出された状態である。電池蓋１１ａを閉めると、外部電源からカメラ１への電力供給の準備が完了する。
【００１６】
カメラ１から擬似電池２１を取り外すときは、電池蓋１１ａを開き、擬似電池２１を装填方向と逆方向に移動（離脱）させる。この離脱の進行に伴い、閉鎖部材１２は、バネ１４の付勢力によって、開口Ａを徐々に閉鎖していき、図１に示されるように、開口Ａを完全に遮蔽する。開口Ａが遮蔽されることにより、外界からの塵埃等がカメラの電池室に侵入するのを防止することができる。
【００１７】
上述したように、本実施の形態のカメラ１では、外部電源を使用する際に、擬似電池２１を電池室１１へ装填するのに連動して、突起２３により閉鎖部材１２が開口Ａを開放するように構成したので、装填前に開口Ａを開放しておく必要がない。また、装填途中で、ケーブル２２が閉鎖部材１２と接触しないように開口Ａを開放するので、ケーブルを損傷することがない。さらに、擬似電池２１を電池室１１から取り外すだけで、閉鎖部材１２が開口Ａを完全に遮蔽するので、擬似電池２１を電池室１１から取り外した後で、閉鎖部材１２を操作して開口Ａを閉鎖する手間を省くことができる。
【００１８】
本実施の形態では、突起２３と突起部１３との係合により、閉鎖部材１２を移動させるものであるが、係合の方法は本実施の形態のみに限られない。例えば、擬似電池２１の側面に凹部を設けておき、擬似電池２１が電池室１１へ所定距離だけ装填されときに、突起部１３が凹部と係合するように構成することもできる。
【００１９】
また、本実施の形態では、カメラについて説明したが、擬似電池を電池室へ装填するのに連動して、閉鎖部材によって開口を開放するという構成は、ＰＤＡ、パソコン端末機器、録音／録画機器などの電子機器にも適用できる。本発明は、その特徴を損なわない限り、以上説明した実施の形態に何ら限定されない。
【図面の簡単な説明】
【００２０】
【図１】本発明の実施の形態に係るカメラの概略正面図であり、擬似電池装填の初期状態を示す。
【図２】本発明の実施の形態による電子機器に用いられる外部電源アダプタの概略斜視図である。
【図３】本発明の実施の形態に係るカメラの概略正面図であり、擬似電池装填の進行途中を示す。
【図４】図３のカメラのｙ方向から見た側面図である。
【図５】図３，４の閉鎖部材の拡大斜視図である。
【図６】本発明の実施の形態に係るカメラの概略正面図であり、擬似電池装填の完了状態を示す。
【符号の説明】
【００２１】
１：カメラ
１１：電池室
１２：閉鎖部材
１３：突起部
１４：バネ
１５：電池接点
２０：外部電源アダプタ
２１：擬似電池
２２：ケーブル
２３：突起
２５：電極端子
Ａ：開口
Ｐ：付勢力
ｘ：装填方向
【図１】
2005173203.tif 000003
【図２】
2005173203.tif 000004
【図３】
2005173203.tif 000005
【図４】
2005173203.tif 000006
【図５】
2005173203.tif 000007
【図６】
2005173203.tif 000008